(57)【要約】【課題】被記録媒体を移動式ベルトにセットする際のセッティング不良により発生する記録不良や被記録媒体と記録機構等との干渉等を抑制する。【解決手段】被記録媒体Ｐを搬送する移動式ベルト１０と、前記被記録媒体Ｐに記録する記録機構４と、を備え、前記移動式ベルト１０は、前記被記録媒体Ｐをセットする際に基準となるマークＭ１を有する。【選択図】図３
2014159152.tif 000002
【特許請求の範囲】
【請求項１】
被記録媒体を搬送する移動式ベルトと、
前記被記録媒体に記録する記録機構と、を備え、
前記移動式ベルトは前記被記録媒体をセットする際に基準となるマークを有することを特徴とする記録装置。
【請求項２】
請求項１に記載の記録装置において、
前記マークを前記移動式ベルトに記録するよう前記記録機構を制御可能な制御部を備えることを特徴とする記録装置。
【請求項３】
請求項１又は２に記載の記録装置において、
前記マークは、前記被記録媒体の幅方向及び前記被記録媒体の搬送方向の少なくともいずれか一方の方向において基準となることを特徴とする記録装置。
【請求項４】
請求項２又は３に記載の記録装置において、
前記移動式ベルトにおける前記マークの記録位置を入力可能なユーザーインターフェースを備え、
前記制御部は、前記ユーザーインターフェースにより入力された記録位置に該マークを記録するよう前記記録機構を制御することを特徴とする記録装置。
【請求項５】
請求項４に記載の記録装置において、
前記ユーザーインターフェースは、前記被記録媒体の情報を入力可能であり、
前記制御部は、前記ユーザーインターフェースにより入力された前記被記録媒体の情報に基づいて定められた記録位置に前記マークを記録するよう前記記録機構を制御することを特徴とする記録装置。
【請求項６】
請求項４又は５に記載の記録装置において、
前記記録機構は、前記被記録媒体に記録を実行する際、前記移動式ベルトにおける前記被記録媒体の幅方向の該被記録媒体の外側に記録することが可能であり、
前記ユーザーインターフェースは、前記被記録媒体の搬送方向における記録実行距離、前記被記録媒体の情報、記録条件及び生産情報の少なくともいずれか１つの記録指示を入力可能であり、
前記制御部は、前記記録機構が前記被記録媒体に記録を実行する際、前記ユーザーインターフェースにより入力された記録指示内容を前記外側に記録するよう前記記録機構を制御することを特徴とする記録装置。
【請求項７】
請求項１から６のいずれか１項に記載の記録装置において、
前記移動式ベルトはグルーベルトであることを特徴とする記録装置。
【請求項８】
被記録媒体を搬送する移動式ベルトと、
前記被記録媒体に記録する記録機構と、を備える記録装置を用いて行う記録方法であって、
前記移動式ベルトに前記被記録媒体をセットする際に基準となるマークを該移動式ベルトに記録する基準マーク記録工程と、
前記マークを基準として前記移動式ベルトにセットされた前記被記録媒体に記録を実行する記録実行工程と、を有することを特徴とする記録方法。
【発明の詳細な説明】
【技術分野】
【０００１】
本発明は、被記録媒体を移動式ベルトにセットして搬送する搬送機構を備える記録装置及び記録方法に関する。
【背景技術】
【０００２】
従来から、被記録媒体を移動式ベルトにセットして搬送する搬送機構を備える記録装置が使用されている。このような記録装置のうち、被記録媒体をグルーベルトに貼り付けて搬送する搬送機構を備える記録装置等、被記録媒体を移動式ベルトに動かないようにセットして搬送する記録装置が多く使用されている。例えば、特許文献１には、被記録媒体を粘着固定して搬送する無端ベルトと該無端ベルトの周面が高分子多孔質体からなる拭き取りローラーを具備する洗浄部とを備える記録装置が開示されている。
【先行技術文献】
【特許文献】
【０００３】
【特許文献１】特開平１１−１９２６９４号公報
【発明の概要】
【発明が解決しようとする課題】
【０００４】
しかしながら、被記録媒体を移動式ベルトにセットして搬送する搬送機構を備える記録装置においては、被記録媒体を移動式ベルトにセットする際のセッティング不良により、記録不良や被記録媒体と記録機構等との干渉等が発生する場合がある。
例えば、被記録媒体が所望のセット方向から傾いてセットされると、所望の方向から傾いて画像が形成されてしまう。
【０００５】
また、特に、長尺の被記録媒体を連続的に移動式ベルトに載置して搬送する記録装置においては、被記録媒体が所望のセット方向から傾いてセットされると、被記録媒体に皺等が発生し、被記録媒体と記録機構等とが干渉する場合がある。被記録媒体と記録機構等とが干渉すると、被記録媒体に形成された記録画像にダメージを与える場合がある他、被記録媒体及び記録機構等の少なくともいずれか一方にダメージを与える場合もある。
【０００６】
そこで、本発明の目的は、被記録媒体を移動式ベルトにセットする際のセッティング不良により発生する記録不良や被記録媒体と記録機構等との干渉等を抑制することである。
【課題を解決するための手段】
【０００７】
上記課題を解決するための本発明の第１の態様の記録装置は、被記録媒体を搬送する移動式ベルトと、前記被記録媒体に記録する記録機構と、を備え、前記移動式ベルトは前記被記録媒体をセットする際に基準となるマークを有していることを特徴とする。
ここで、「前記被記録媒体をセットする際に基準となるマーク」とは、前記被記録媒体をセットする際に基準とすることが可能なマークであれば足りる意味であり、特に限定されない。例えば、線状のマークでもよいし、点状や格子状のマーク等でもよい。また、被記録媒体を沿わせてセットすることを目的とするマークでもよいし、これ以外の方法で被記録媒体をセットすることを目的とするマークでもよい。
【０００８】
本態様によれば、前記移動式ベルトは、前記被記録媒体をセットする際に基準となるマークを有しているため、被記録媒体を移動式ベルトにセットする際のセッティング不良を抑制することが可能になる。このため、該セッティング不良に起因する記録不良や被記録媒体と記録機構等との干渉等を抑制することが可能になる。
【０００９】
上記課題を解決するための本発明の第２の態様の記録装置は、前記第１の態様において、前記マークを前記移動式ベルトに記録するよう前記記録機構を制御可能な制御部を備えることを特徴とする。
【００１０】
本態様によれば、前記移動式ベルトに前記被記録媒体をセットする際に基準となるマークを前記記録機構により記録することができるため、被記録媒体を移動式ベルトにセットする際のセッティング不良を抑制することが可能になる。このため、該セッティング不良に起因する記録不良や被記録媒体と記録機構等との干渉等を抑制することが可能になる。
【００１１】
本発明の第３の態様の記録装置は、前記第１又は第２の態様において、前記マークは、前記被記録媒体の幅方向及び前記被記録媒体の搬送方向の少なくともいずれか一方の方向において基準となることを特徴とする。
【００１２】
本態様によれば、前記マークは、前記被記録媒体の幅方向及び前記被記録媒体の搬送方向の少なくともいずれか一方の方向において基準となる。このうち、前記マークが前記被記録媒体の幅方向において基準となる場合は、該マークは前記被記録媒体を搬送方向に対して傾かせることなくセット可能にする。また、前記マークが前記被記録媒体の搬送方向において基準となる場合は、該マークは前記被記録媒体を記録開始位置に対してずれることなくセット可能にする。
【００１３】
本発明の第４の態様の記録装置は、前記第２又は第３の態様において、前記移動式ベルトにおける前記マークの記録位置を入力可能なユーザーインターフェースを備え、前記制御部は、前記ユーザーインターフェースにより入力された記録位置に該マークを記録するよう前記記録機構を制御することを特徴とする。
【００１４】
ここで、「ユーザーインターフェース」とは、情報を入力する装置及び情報を出力する装置の何れをも含む意味であり、例えば、モニター、キーボード、マウス、ボタン、タッチパネル等が該当する。このため、「前記マークの記録位置を入力可能なユーザーインターフェース」には、前記マークの記録位置を入力可能であれば、その他の情報を入出力可能な複数の機能を兼ね備える装置も含まれる。また、１つの装置から構成されるものの他、複数の装置で構成されるものも含まれる。
本態様によれば、記録位置を入力可能なユーザーインターフェースを備えている。このため、ユーザーは簡単に記録位置を設定することができる。
【００１５】
本発明の第５の態様の記録装置は、前記第４の態様において、前記ユーザーインターフェースは、前記被記録媒体の情報を入力可能であり、前記制御部は、前記ユーザーインターフェースにより入力された前記被記録媒体の情報に基づいて定められた記録位置に前記マークを記録するよう前記記録機構を制御することを特徴とする。
【００１６】
ここで、「前記被記録媒体の情報」とは、例えば、前記被記録媒体の幅方向の長さ等を意味する。
本態様によれば、前記ユーザーインターフェースは、前記被記録媒体の情報を入力可能であり、前記制御部は、前記ユーザーインターフェースにより入力された前記被記録媒体の情報に基づいて定められた記録位置に前記マークを記録するよう前記記録機構を制御する。このため、ユーザーは、前記被記録媒体の情報を前記ユーザーインターフェースにより入力するという簡単な動作により、記録位置を設定することができる。
【００１７】
本発明の第６の態様の記録装置は、前記第４又は第５の態様において、前記記録機構は、前記被記録媒体に記録を実行する際、前記移動式ベルトにおける前記被記録媒体の幅方向の該被記録媒体の外側に記録することが可能であり、前記ユーザーインターフェースは、前記被記録媒体の搬送方向における記録実行距離、前記被記録媒体の情報、記録条件及び生産情報の少なくともいずれか１つの記録指示を入力可能であり、前記制御部は、前記記録機構が前記被記録媒体に記録を実行する際、前記ユーザーインターフェースにより入力された記録指示内容を前記外側に記録するよう前記記録機構を制御することを特徴とする。
【００１８】
ここで、「記録条件」とは、例えば、前記移動式ベルトにセットされた被記録媒体に対しての記録開始位置や記録装置が複数の記録モードを有する場合の記録モードの種類等を意味する。また、「生産情報」とは、例えば、記録物の依頼者の氏名等を意味する。
本態様によれば、前記被記録媒体に記録を実行する際、前記被記録媒体の搬送方向における記録実行距離、前記被記録媒体の情報、記録条件及び生産情報の少なくともいずれか１つを前記外側に記録することが可能である。このため、前記被記録媒体に記録を実行する際、ユーザーは、記録不良が発生した場合のその搬送方向における位置情報や、所望の記録が行われていること等を確認することが可能になる。
【００１９】
本発明の第７の態様の記録装置は、前記第１から第６のいずれか１つの態様において、前記移動式ベルトはグルーベルトであることを特徴とする。
【００２０】
移動式ベルトとしてグルーベルト（被記録媒体をセットする面に該被記録媒体を剥離可能に接着して保持する粘着剤が塗られたベルト）を有する記録装置では、被記録媒体を安定的に支持することが可能になるため、移動式ベルトとしてグルーベルトを好ましく用いることができる。
本態様によれば、被記録媒体を安定的に支持することが可能になることで記録画像の画質を良くすることができる。
また、グルーベルトを備える記録装置では被記録媒体をグルーベルトに貼り付けるためセッティング不良で発生した皺等が自己修復しづらいが、本態様によれば、セッティング不良を抑制でき、被記録媒体と記録機構等との干渉等を効果的に抑制することができる。
【００２１】
本発明の第８の態様の記録方法は、被記録媒体を搬送する移動式ベルトと、前記被記録媒体に記録する記録機構と、を備える記録装置を用いて行う記録方法であって、前記移動式ベルトに前記被記録媒体をセットする際に基準となるマークを該移動式ベルトに記録する基準マーク記録工程と、前記マークを基準として前記移動式ベルトにセットされた前記被記録媒体に記録を実行する記録実行工程と、を有することを特徴とする。
【００２２】
本態様によれば、前記移動式ベルトに前記被記録媒体をセットする際に基準となるマークを記録することができるため、被記録媒体を移動式ベルトにセットする際のセッティング不良を抑制することが可能になる。このため、該セッティング不良に起因する記録不良や被記録媒体と記録機構等との干渉等を抑制することが可能になる。
【図面の簡単な説明】
【００２３】
【図１】本発明の記録装置の実施例を表す概略側面図
【図２】本発明の記録装置の実施例を表すブロック図
【図３】本発明の記録装置による基準マークのマーク例を表す概略図
【図４】本発明の記録装置による基準マークの別のマーク例を表す概略図
【図５】本発明の記録装置の実施例におけるユーザーインターフェースの表示画面を表す概略図
【図６】本発明の記録方法の実施例を表すフローチャート
【発明を実施するための形態】
【００２４】
［記録装置の実施例］（図１〜図５）
以下に、本発明の実施例に係る記録装置について、添付図面を参照して詳細に説明する。
最初に、本発明の実施例１に係る記録装置について説明する。なお、本実施例の記録装置は、移動式ベルトとしてグルーベルトを備える構成の記録装置である。ただし、このような構成に限定されない。
図１は本発明の実施例１に係る記録装置１の概略側面図である。
【００２５】
本実施例の記録装置１は、記録を行うための被記録媒体ＰのロールＲ１を送り出すことが可能なセット部２を備えている。また、移動式ベルトであるグルーベルト１０により被記録媒体Ｐを搬送方向Ａに搬送する搬送機構３を備えている。また、被記録媒体Ｐの搬送方向Ａと交差する走査方向Ｂに記録ヘッド７を往復走査させて記録する記録機構４を備えている。また、グルーベルト１０の洗浄機構１５を備えている。さらに、被記録媒体Ｐを巻き取る巻取軸１７と巻き取られている被記録媒体Ｐを切断するカッター１６とを有する巻取機構１８を備えている。
【００２６】
セット部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に送り出すことが可能な構成となっている。なお、被記録媒体Ｐを搬送機構３に送り出す際、回転軸５は回転方向Ｃに回転する。
【００２７】
搬送機構３は、セット部２から送り出された被記録媒体Ｐを載置して搬送するグルーベルト１０と、グルーベルト１０を移動させる搬送ローラー８と従動ローラー９を備えている。被記録媒体Ｐは加圧ローラー１２によりグルーベルト１０に加圧されて貼り付けられて載置される。なお、被記録媒体Ｐを搬送する際、搬送ローラー８は回転方向Ｃに回転する。
【００２８】
記録機構４は、記録ヘッド７と該記録ヘッド７を搭載する不図示のキャリッジと、該キャリッジを走査方向Ｂに往復移動させるキャリッジモーター２６（図２参照）を有している。なお、図１において走査方向Ｂは紙面に対して垂直方向である。
記録の際、記録ヘッド７を往復走査させて記録するが、記録走査中（記録ヘッドの移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送させている。
なお、本実施例の記録装置１はこのような構成の記録機構４を備えているが、このような構成に限定されず、例えば、ラインヘッドを有する記録機構を備える構成でもよい。
【００２９】
グルーベルト１０の洗浄機構１５は、複数の洗浄ローラーが回転軸方向に連結されて構成された洗浄ユニット１３と、洗浄ユニット１３の洗浄機構としての洗浄剤が入ったトレイ１４と、を有する。
【００３０】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。
【００３１】
次に、本実施例の記録装置１における電気的な構成について説明する。
図２は、本実施例の記録装置１のブロック図である。
制御部２０には、記録装置１の全体の制御を司るＣＰＵ２１が設けられている。ＣＰＵ２１は、システムバス２２を介して、ＣＰＵ２１が実行する各種制御プログラム等を格納したＲＯＭ２３と、データを一時的に格納可能なＲＡＭ２４と接続されている。また、ＣＰＵ２１は、システムバス２２を介して、記録ヘッド７を駆動するためのヘッド駆動部２５と接続されている。
【００３２】
また、ＣＰＵ２１は、システムバス２２を介して、キャリッジモーター２６、搬送モーター２７、送り出しモーター２８及び巻取モーター２９を駆動させるためのモーター駆動部３２と接続されている。
ここで、キャリッジモーター２６は、記録ヘッド７を搭載したキャリッジを移動させるためのモーターである。また、搬送モーター２７は、搬送ローラー８を駆動するためのモーターである。また、送り出しモーター２８は、回転軸５の回転機構であり、被記録媒体Ｐを搬送機構３に送り出すために回転軸５を駆動するモーターである。そして、巻取モーター２９は、巻取軸１７を回転させるための駆動モーターである。
【００３３】
また、ＣＰＵ２１は、システムバス２２を介して、被記録媒体Ｐを切断するようカッター１６を駆動させるカッター駆動部３３と接続されている。
さらに、ＣＰＵ２１は、記録装置１に設けられたモニター３４及びコントロールパネル３５と、並びに、記録データ等をＰＣ等の外部装置から入力する等のためのインターフェース３１と、データ及び信号の送受信を行うための入出力部３０と、システムバス２２を介して接続されている。
なお、本実施例のモニター３４は表示機能だけでなくタッチパネル機能も有しており、グルーベルト１０に被記録媒体Ｐをセットする際に基準となる基準マークの位置等を入力可能なユーザーインターフェースの役割を有している。
【００３４】
次に、本実施例の記録装置１においてグルーベルト１０に記録する被記録媒体Ｐをセットする際に基準となる基準マークについて説明する。
図３は、本実施例の記録装置１による基準マークのマーク例を表す概略図であり、グルーベルト１０に記録されたマークＭ１とそのマークＭ１に対する被記録媒体Ｐの貼り付け位置を表している。
【００３５】
本実施例の記録装置１では、制御部２０は、グルーベルト１０に被記録媒体Ｐをセットする際に基準となるマークＭ１をグルーベルト１０に記録するよう記録機構４を制御する。図３は、制御部２０の制御によりマークＭ１が記録され、マークＭ１が付された部分を搬送方向Ａと逆方向に移動させた状態を示している。そして、破線で示された位置に被記録媒体Ｐをセットする。なお、このマークＭ１を基準にして被記録媒体Ｐをセットする際は、マークＭ１が付された部分を搬送方向Ａと逆方向にさらに移動させ、加圧ローラー１２付近にマークＭ１が付された部分がある状態で行うことができる。
【００３６】
本実施例のマークＭ１は、搬送方向Ａ及び走査方向Ｂに各々沿う方向の直線からなる直交する２直線で構成されている。そして、その直線の各々に被記録媒体Ｐの先端及び側端を沿わせることにより、被記録媒体Ｐの幅方向（本実施例では走査方向Ｂと同じ方向）及び被記録媒体Ｐの搬送方向Ａの両方向において基準とすることができる。ただし、このような基準マークに限定されない。被記録媒体Ｐの幅方向及び被記録媒体Ｐの搬送方向の少なくともいずれか一方の方向において基準となるものでもよく、また、別の観点から移動式ベルトに被記録媒体Ｐをセットする際に基準とすることが可能なマークであってもよい。
【００３７】
図４は、本実施例の記録装置１による基準マークの別のマーク例を表す概略図であり、グルーベルト１０に記録されたマークＭ２とそのマークＭ２に対する被記録媒体Ｐの貼り付け位置を表している。
マークＭ２は、三角形をしており、その１辺に被記録媒体Ｐの先端を沿わせることにより、被記録媒体Ｐの搬送方向Ａにおいて基準とすることが可能なマークである。
【００３８】
次に、本実施例の記録装置１におけるユーザーインターフェースであるモニター３４の表示画面について説明する。
図５は、本実施例の記録装置１におけるユーザーインターフェースであるモニター３４の表示画面を表す概略図である。
【００３９】
モニター３４には、記録装置１を表示する表示部１９と、記録指示をする各種情報の入力部としてのタッチパネル式のボタンが複数表示されるボタン部３６と、が表示されている。表示部１９には、記録装置１の平面図が表示され、グルーベルト１０、記録機構４、グルーベルト１０に被記録媒体Ｐをセットする際に基準となる基準マーク等が表示されている。ボタン部３６には、記録開始ボタンと、記録指示内容としての基準マーク種類、基準マーク位置（グルーベルト１０に対する基準マークの記録位置）、記録開始位置、記録実行距離、被記録媒体情報及び生産情報を各々プルダウンにより選択可能なボタンと、が表示されている。
【００４０】
ボタン部３６により、ユーザーは表示部１９で確認しながら、基準マーク種類の選択、基準マーク位置及び記録開始位置の設定、記録実行距離、被記録媒体情報及び生産情報の記録の有無及びその内容の設定等を行うことができる。別の表現をすると、ユーザーは表示部１９で確認しながらこれらについての記録指示を入力可能である。そして、ユーザーが所望の設定等を行い、記録開始ボタンを押すとグルーベルト１０に基準マークの記録を行う。なお、図５では、基準マークの種類としてマークＭ１が選択された状態を表している。
【００４１】
本実施例の記録装置１では、記録実行距離、被記録媒体情報及び生産情報は、被記録媒体Ｐに所望の画像の記録を実行する際、グルーベルト１０における被記録媒体Ｐの幅方向の該被記録媒体Ｐの外側に記録される。なお、この際の制御は制御部２０によって行われる。
【００４２】
また、本実施例の記録装置１は、ユーザーが被記録媒体情報として被記録媒体Ｐの幅を選択することにより、基準マーク位置についての設定を別途行わなくても、選択された被記録媒体Ｐの幅から自動で基準マーク位置を設定可能である。別の表現をすると、モニター３４は被記録媒体Ｐの情報を入力可能であり、制御部２０はモニター３４により入力された被記録媒体Ｐの情報に基づいて定められた記録位置に基準マークを記録するよう記録機構４を制御する。このため、ユーザーは、被記録媒体Ｐの情報を入力するという簡単な動作により、基準マークの位置を設定することができる。
【００４３】
［記録方法の実施例］（図６）
次に、本実施例の記録方法について説明する。
図６は、本実施例の記録方法を表すフローチャートである。
なお、本実施例の記録方法は、上記実施例の記録装置１を用いて行った実施例である。
【００４４】
本実施例の記録方法では、最初に、ステップＳ１１０において、モニター３４に図５で表される表示画面を表示し、ユーザーに基準マークの種類や記録位置等を設定させる。
次に、ステップＳ１２０において、ユーザーがモニター３４により設定した設定内容を制御部２０は受付ける。
次に、ステップＳ１３０において、制御部２０が記録機構４を制御することにより、ステップＳ１２０で受付けた設定内容に従って、グルーベルト１０に基準マークを記録する。
【００４５】
次に、ステップＳ１４０において、基準マークが加圧ローラー１２付近に来るように、グルーベルト１０を搬送方向Ａと逆方向に移動させる。こうして、ユーザーによる基準マークを基準にした被記録媒体Ｐのセットを可能にする。
次に、ステップＳ１５０において、ユーザーが被記録媒体Ｐをグルーベルト１０にセットしたことを制御部２０は受付ける。この被記録媒体Ｐのセット受付けは、例えば、加圧ローラー１２を可動式とし、該加圧ローラー１２を被記録媒体Ｐへの押し付け位置へセットすることに連動させてもよい。
【００４６】
次に、ステップＳ１６０において、記録装置１に入力された記録データに基づいて記録が開始される。なお、この記録に伴って、ステップＳ１２０で記録実行距離、被記録媒体情報及び生産情報を記録する設定を受付けていた場合、グルーベルト１０における被記録媒体Ｐの幅方向の該被記録媒体Ｐの外側にこれらも記録される。
そして、ステップＳ１７０において、制御部２０は、記録装置１に入力された記録データの記録が終了したかどうかを判断する。本ステップにおいて、記録が終了していないと判断した場合は記録が終了したと判断するまでステップＳ１６０とステップＳ１７０とを繰り返すことで記録を実行し、記録が終了したと判断した場合は本実施例に係る記録方法を終了する。
【００４７】
上記実施例の記録装置１及び上記実施例の記録方法においては、記録機構４によって基準となるマークＭ１やマークＭ２を記録した後に、グルーベルト１０を搬送方向Ａと逆方向に移動させた後に被記録媒体Ｐをセットしていたが、これに限らず、記録機構４によって基準となるマークＭ１やマークＭ２が記録した後に、グルーベルト１０を搬送方向Ａに移動させて被記録媒体Ｐをセット可能な位置にマークＭ１やマークＭ２が付された部分がある状態にしても同様の効果を得ることができる。
さらに、上記実施例の記録装置１及び上記実施例の記録方法においては、記録機構４によって基準となるマークＭ１やマークＭ２を記録していたが、これに限らず、必要な基準となるマークＭ１やマークＭ２をグルーベルト１０に記録機構４以外の方法であらかじめ付しておく等により、グルーベルト１０がマークＭ１やマークＭ２を有する状態とすることでも同様の効果を得ることができる。
【符号の説明】
【００４８】
１…記録装置、２…セット部、３…搬送機構、４…記録機構、５…回転軸、６…従動ローラー、７…記録ヘッド、８…搬送ローラー、９…従動ローラー、１０…グルーベルト（移動式ベルト）、１１…従動ローラー、１２…加圧ローラー、１３…洗浄ユニット、１４…トレイ、１５…洗浄機構、１６…カッター、１７…巻取軸、１８…巻取機構、１９…表示部、２０…制御部、２１…ＣＰＵ、２２…システムバス、２３…ＲＯＭ、２４…ＲＡＭ、２５…ヘッド駆動部、２６…キャリッジモーター、２７…搬送モーター、２８…送り出しモーター、２９…巻取モーター、３０…入出力部、３１…インターフェース、３２…モーター駆動部、３３…カッター駆動部、３４…モニター、３５…コントロールパネル、３６…ボタン部、Ｍ１，Ｍ２…マーク、Ｐ…被記録媒体。
【図１】
2014159152.tif 000003
【図２】
2014159152.tif 000004
【図３】
2014159152.tif 000005
【図４】
2014159152.tif 000006
【図５】
2014159152.tif 000007
【図６】
2014159152.tif 000008